(57)【要約】【課題】部品点数を削減するとともに、容易に梱包箱に嵌め込むことが可能で、かつ、収納された製品が破損することを抑制することが可能な梱包部材を提供する。【解決手段】この梱包部材では、仕切り２は、下部に切り欠き部２ｂを有し、仕切り１には、側面部１ａと、底板部１ｂとが一体的に設けられており、仕切り１の底板部１ｂには、仕切り２の切り欠き部２ｂに嵌め込まれる筒状の突出部１ｃが一体的に設けられており、仕切り１は、仕切り１の下部から外側方に突出するように形成されたガイド部１ｇを含む。また、天板３は、天板３の上面から上方に突出するように設けられた筒状の段ボール製の複数の突出部３ａを含む。また、仕切り２の側端部２ｃは、仕切り１の仕切り面から所定の長さ分、外側方に突出されており、仕切り１のスリット１ｄが形成される側の端部に一体的に形成され、外側方に折り曲げられた複数の補強片１ｅをさらに備える。【選択図】図１
2006062663.tif 000002
【特許請求の範囲】
【請求項１】
第１スリットを有する段ボール製の第１仕切りと、前記第１スリットに嵌め込まれる第２スリットを有する段ボール製の複数の第２仕切りと、段ボール製の天板とを備えた梱包部材において、
前記第２仕切りは、下部に切り欠き部を有し、
前記第１仕切りには、側面部と、底板部とが一体的に設けられており、
前記第１仕切りの前記底板部には、前記第２仕切りの切り欠き部に嵌め込まれる筒状の第１突出部が一体的に設けられており、
前記第１仕切りは、前記第１仕切りの下部から外側方に突出するように形成されたガイド部を含み、
前記天板は、前記天板の上面から上方に突出するように設けられた筒状の段ボール製の複数の第２突出部を含み、
前記第２仕切りの側端部は、前記第１仕切りの仕切り面から所定の長さ分、外側方に突出されており、
前記第１仕切りの前記第１スリットが形成される側の端部に一体的に形成され、外側方に折り曲げられた複数の補強片をさらに備える、梱包部材。
【請求項２】
第１スリットを有する段ボール製の第１仕切りと、
前記第１スリットに嵌め込まれる第２スリットを有する段ボール製の複数の第２仕切りとを備え、
前記第２仕切りは、下部に切り欠き部を有し、
前記第１仕切りには、側面部と、底板部とが一体的に設けられており、
前記第１仕切りの前記底板部には、前記第２仕切りの切り欠き部に嵌め込まれる筒状の第１突出部が設けられており、
前記第１仕切りは、前記第１仕切りの下部から外側方に突出するように形成されたガイド部を含む、梱包部材。
【請求項３】
前記筒状の第１突出部は、前記第１仕切りの前記底板部に一体的に設けられている、請求項２に記載の梱包部材。
【請求項４】
段ボール製の天板をさらに備え、
前記天板は、前記天板の上面から上方に突出するように設けられた筒状の段ボール製の複数の第２突出部を含む、請求項２または３に記載の梱包部材。
【請求項５】
前記第２仕切りの側端部は、前記第１仕切りの仕切り面から所定の長さ分、外側方に突出されており、
前記第１仕切りの前記第１スリットが形成される側の端部に一体的に形成され、外側方に折り曲げられた複数の補強片をさらに備える、請求項２〜４のいずれか１項に記載の梱包部材。
【発明の詳細な説明】
【技術分野】
【０００１】
この発明は、製品を収納するための梱包部材に関する。
【背景技術】
【０００２】
従来、製品を収納するための梱包部材が知られている（たとえば、特許文献１〜３参照）。
【０００３】
上記特許文献１には、梱包箱と製品収納緩衝仕切格子との間の隙間に、筒状の段ボール製の緩衝用スペサーを設けることによって、製品に対する衝撃を緩和することが可能な段ボール製衝撃吸収梱包箱（梱包部材）が開示されている。
【０００４】
上記特許文献２には、段ボールを積層して貼り合わせて形成した井桁状の中仕切りにより、重量物（製品）を保持する段ボール製包装体（梱包部材）が開示されている。
【０００５】
上記特許文献３には、一枚の帯状緩衝材を折り曲げることにより、製品に対する水平方向の衝撃を緩衝する緩衝部材を形成する包装装置（梱包部材）が開示されている。
【０００６】
図１２は、従来の他の例による段ボール製の梱包部材の全体構成を示した分解斜視図である。図１３および図１４は、図１２に示した従来の段ボール製の梱包部材の仕切りを示した正面図である。図１５〜図１７は、図１２に示した段ボール製の梱包部材の構造の詳細を説明するための図である。図１２〜図１７を参照して、従来の段ボール製の梱包部材の構造について説明する。
【０００７】
従来の他の例による段ボール製の梱包部材は、図１２に示すように、一対の仕切り１０１と、一対の仕切り１０１と組み合わされる７つの仕切り１０２と、底板１０３と、天板１０４と、梱包箱１０５とを備えている。また、図１３に示すように、仕切り１０１には、７つのスリット１０１ａが設けられている。また、図１４に示すように、仕切り１０２には、仕切り１０１のスリット１０１ａ（図１３参照）に嵌め込まれる２つのスリット１０２ａが設けられている。また、仕切り１０２には、図１２に示すように、仕切り１０１の外側面から所定の長さ分、外側方に突出する側端部１０２ｂが設けられている。
【０００８】
また、図１２に示すように、底板１０３の上面には、緩衝材として機能する２つの突出部１０３ａが設けられている。この底板１０３の突出部１０３ａは、図１６に示すように、複数の段ボール製の部材（図示せず）を積層して貼り合わせた部材、または、発泡スチロールによって形成されている。また、底板１０３の突出部１０３ａは、底板１０３の上面に両面テープによって貼付されている。また、天板１０４には、図１２に示すように、緩衝材として機能する２つの突出部１０４ａが設けられている。この天板１０４の突出部１０４ａは、底板１０３の突出部１０３ａと同様、図１６に示すように、複数の段ボール製の部材（図示せず）を積層して貼り合わせた部材、または、発泡スチロールによって形成されている。また、天板１０４の突出部１０４ａは、天板１０４の上面に両面テープによって貼付されている。また、天板１０４の下面は、仕切り１０１の上端および仕切り１０２の上端により支持される。
【０００９】
また、段ボール製の梱包箱１０５には、図１２に示すように、一対の天面フラップ部１０５ａと、一対の天面フラップ部１０５ｂとが、それぞれ、互いに対向するように設けられている。梱包箱１０５の天面フラップ部１０５ｂは、図１７に示すように、梱包箱１０５の天面フラップ部１０５ａの上部に重なるように配置される。また、天板１０４の突出
部１０４ａにより、天板１０４の上面と梱包箱１０５の天面フラップ部１０５ａの下面との間に、梱包箱１０５の上部側からの衝撃を吸収することが可能な隙間が設けられる。また、仕切り１０１および１０２の側面と梱包箱１０５の内側面との間に、梱包箱１０５の外部側からの衝撃を吸収することが可能な隙間が設けられている。
【００１０】
また、図１２に示すように、２つの仕切り１０１と７つの仕切り１０２とによって、６つの収納空間１０６が構成されている。この収納空間１０６には、図１７に示すように、製品１０７が収納される。この製品１０７には、下部側に突出した突起部１０７ａと、上部側に突出した突起部１０７ｂと、両側部側に突出した突起部１０７ｃとが設けられている。また、底板１０３の突出部１０３ａは、製品１０７の突起部１０７ａに接触しないように、製品１０７の下面を支持している。
【００１１】
次に、図１２〜図１４および図１７を参照して、従来の段ボール製の梱包部材の組立方法および製品の梱包方法について説明する。まず、一対の仕切り１０１（図１３参照）を対向するように配置するとともに、その一対の仕切り１０１のスリット１０１ａに、７つの仕切り１０２（図１４参照）のスリット１０２ａを嵌め込む。これにより、図１２に示すように、仕切り１０１と仕切り１０２とにより６つの収納空間１０６を有する仕切り部材が形成される。次に、底板１０３と仕切り１０１および仕切り１０２からなる仕切り部材とを、梱包箱１０５の上方側から順次梱包箱１０５に嵌め込む。さらに、６つの収納空間１０６に製品１０７を収納した後、梱包箱１０５の上方側から天板１０４を梱包箱１０５に嵌め込む。そして、梱包箱１０５の天面フラップ部１０５ａを内側に折り曲げた後、天面フラップ部１０５ｂを内側に折り曲げる。これにより、図１７に示すように、製品１０７の梱包が完了する。
【特許文献１】特開平１１−２４０５７３号公報
【特許文献２】実開平６−２２２７０号公報
【特許文献３】実開昭５９−１９６４６１号公報
【発明の開示】
【発明が解決しようとする課題】
【００１２】
図１２〜図１７に示した従来の梱包部材では、一対の仕切り１０１と、底板１０３とをそれぞれ別個に設けているため、部品点数が増加するという問題点があった。また、仕切り１０１および仕切り１０２からなる仕切り部材を、梱包箱１０５に嵌め込みにくいという問題点があった。また、梱包箱１０５の内側面と、仕切り１０２の側端面との間に隙間がある場合には、水平方向の衝撃が加わった場合に、仕切り１０１および１０２の位置がずれるので、仕切り１０１および１０２によって構成される収納空間１０６の位置ずれが発生するという問題点があった。従来では、この衝撃が加わった場合の収納空間１０６の位置ずれに起因して、収納空間１０６に収納される製品１０７が破損する場合があるという問題点があった。また、水平方向の衝撃が加わった場合に、仕切り１０１および仕切り１０２が変形することによって、仕切り１０１および１０２によって構成される収納空間１０６が変形するという問題点があった。従来では、この衝撃が加わった場合の収納空間１０６の変形に起因して、収納空間１０６に収納される製品１０７が破損する場合があるという問題点があった。
【００１３】
また、図１２〜図１７に示した従来の梱包部材では、製品１０７の自重や上下方向の衝撃が、突出部１０３ａに加わるため、突出部１０３ａに高い強度を与える必要がある。このため、従来では、突出部１０３ａを複数の段ボール製の部材を積層して貼り合わせることにより形成するか、または、高い強度を有する発泡スチロールによって形成する必要があるという問題点があった。また、このように、複数の段ボール製の部材を積層して貼り合わせることにより突出部１０３ａを形成する場合には、部品点数が増加するとともに、複数の段ボール製の部材を貼り合わせる組立作業により、組立工数が増加するという問題
点があった。また、突出部１０３ａを、発泡スチロールによって形成する場合には、発泡スチロールは段ボールよりも高価であるので、突出部１０３ａの材料費が増加するという問題点もあった。
【００１４】
また、上記特許文献１に開示された段ボール製衝撃吸収梱包箱（梱包部材）では、梱包箱に製品収納緩衝仕切格子を挿入する際に、仕切格子を構成する仕切の側端部の下端が梱包箱の開口部の上縁部に引っかかりやすいため、仕切格子を梱包箱に挿入しにくいという問題点がある。また、上記特許文献１では、梱包箱の内側面と製品収納緩衝仕切格子との隙間がある場合には、水平方向の衝撃を受けると、製品収納緩衝仕切格子の位置ずれが発生するという不都合がある。このため、水平方向の衝撃による製品収納緩衝仕切格子の位置ずれに起因して、製品収納緩衝仕切格子に収納される製品が破損する場合があるという問題点がある。
【００１５】
また、上記特許文献２に開示された段ボール製包装体（梱包部材）では、梱包箱に中仕切りを挿入する際に、中仕切りを構成する仕切の側端部の下端が梱包箱の開口部の上縁部に引っかかりやすいため、中仕切りを梱包箱に挿入しにくいという問題点がある。また、上記特許文献２では、また、中仕切りを形成するために複数の段ボール製の部材を積層して貼り合わせる必要があるため、その分、部品点数および組立工数が増加するという問題点がある。また、上記特許文献２では、梱包箱内に配置された場合に、梱包箱の内側面と中仕切りとの隙間がある場合には、水平方向の衝撃を受けると、中仕切りの位置ずれが発生するという不都合がある。このため、水平方向の衝撃による中仕切りの位置ずれに起因して、中仕切りに保持される重量物（製品）が破損する場合があるという問題点がある。
【００１６】
また、上記特許文献３に開示された包装装置（梱包部材）では、梱包箱に緩衝部材を挿入する際に、緩衝部材を構成する緩衝部材の側端部の下端が梱包箱の開口部の上縁部に引っかかりやすいため、緩衝部材を梱包箱に挿入しにくいという問題点がある。また、上記特許文献３では、製品に対する水平方向の衝撃を緩衝する緩衝部材しか設けられていないため、上下方向の衝撃を受けた場合に製品が破損しやすいという問題点がある。また、上記特許文献３では、梱包箱内に配置された場合に、梱包箱の内側面と緩衝部材との隙間がある場合には、水平方向の衝撃を受けると、緩衝部材の位置ずれが発生するという不都合がある。このため、水平方向の衝撃による緩衝部材の位置ずれに起因して緩衝部材に収納される製品が破損する場合があるという問題点がある。
【００１７】
この発明は、上記のような課題を解決するためになされたものであり、この発明の１つの目的は、部品点数を削減するとともに、容易に梱包箱に嵌め込むことが可能で、かつ、収納された製品が破損することを抑制することが可能な梱包部材を提供することである。
【課題を解決するための手段】
【００１８】
この発明の第１の局面における梱包部材は、第１スリットを有する段ボール製の第１仕切りと、第１スリットに嵌め込まれる第２スリットを有する段ボール製の複数の第２仕切りと、段ボール製の天板とを備えた梱包部材において、第２仕切りは、下部に切り欠き部を有し、第１仕切りには、側面部と、底板部とが一体的に設けられており、第１仕切りの底板部には、第２仕切りの切り欠き部に嵌め込まれる筒状の第１突出部が一体的に設けられており、第１仕切りは、第１仕切りの下部から外側方に突出するように形成されたガイド部を含み、天板は、天板の上面から上方に突出するように設けられた筒状の段ボール製の複数の第２突出部を含み、第２仕切りの側端部は、第１仕切りの仕切り面から所定の長さ分、外側方に突出されており、第１仕切りの第１スリットが形成される側の端部に一体的に形成され、外側方に折り曲げられた複数の補強片をさらに備える。
【００１９】
この第１の局面による梱包部材では、上記のように、第１仕切りに、側面部と、底板部
とを一体的に設けることによって、側面部と底板部とを別個に設ける場合と比べて、部品点数を削減することができる。また、第１仕切りに、第１仕切りの下部から外側方に突出するように形成されたガイド部を設けることによって、第２仕切りに嵌め合わされた第１仕切りを梱包箱内に挿入する場合に、容易に第１仕切りおよび第２仕切りを梱包箱内に挿入することができる。また、第１仕切りに、第１仕切りの下部から外側方に突出するように形成されたガイド部を設けることによって、第１仕切りの底板部の位置が外側方にずれることを抑制することができるので、第１仕切りと第２仕切りとによって構成される収納空間の位置ずれを防止することができる。これにより、収納空間の位置ずれに起因して、収納空間に収納される製品が破損するのを抑制することができる。また、ガイド部を第１仕切りの下部から外側方に突出させることによって、外部側から衝撃が加わった場合に、ガイド部が変形することにより、外部側からの衝撃を吸収することができるので、製品が破損するのを抑制することができる。
【００２０】
また、この第１の局面では、第２仕切りに、下部に切り欠き部を設け、底板部に、第２仕切りの切り欠き部に嵌め込まれる筒状の第１突出部を設けることによって、第１突出部と第２仕切りの切り欠き部との嵌合により、第２仕切りの切り欠き部の位置がずれるのを抑制することができる。これにより、第２仕切りと、第２仕切りの第２スリットに嵌め込まれる第１仕切りとの位置がずれるのを抑制することができるので、第１仕切りと第２仕切りとによって構成される収納空間の位置ずれを防止することができる。これにより、収納空間の位置ずれに起因して、収納空間に収納される製品が破損するのを抑制することができる。また、筒状の段ボール製の第１突出部を、第２仕切りの２つの切り欠き部に嵌合させることによって、筒状の段ボール製の第１突出部の両側面を第２仕切りの２つの切り欠き部の両方の内側面により挟み込むことができる。これにより、強度がそれほど高くない筒状の段ボール製の第１突出部を設けた場合でも、第１仕切りと第２仕切りとにより構成される収納空間に収納される製品の自重や上下方向の衝撃によって、第１突出部が押しつぶされにくくなるので、収納空間に収納される製品が破損するのを抑制することができる。また、筒状の段ボール製の第１突出部の緩衝機能により、上下方向の衝撃が加わった場合にも、衝撃を吸収することができる。また、第１突出部を筒状の段ボールにより形成することによって、第１突出部を複数の段ボール製の部材を積層して貼り合わせることにより形成する場合と異なり、複数の段ボール製の部材が不要になるので、その分、部品点数を削減することができる。また、第１突出部を複数の段ボール製の部材を積層して貼り合わせることにより形成する場合と異なり、複数の段ボール製の部材を積層して貼り合わせる組立作業が不要になるので、組立工数を削減することができる。また、第１突出部を筒状の段ボールにより形成することによって、第１突出部を段ボールよりも高価な発泡スチロールによって形成する場合に比べて、第１突出部の材料費を削減することができる。
【００２１】
また、第１の局面では、筒状の第１突出部を、第１仕切りの底板部に一体的に設けることによって、筒状の第１突出部と底板部とを別個に設ける場合に比べて、部品点数をより削減することができる。また、天板に、天板の上面から上方に突出するように筒状の段ボール製の複数の第２突出部を設けることによって、第２突出部を複数の段ボール製の部材を積層して貼り合わせることにより形成する場合と異なり、複数の段ボール製の部材が不要になるので、その分、部品点数を削減することができる。また、第２突出部を複数の段ボール製の部材を積層して貼り合わせることにより形成する場合と異なり、複数の段ボール製の部材を積層して貼り合わせる組立作業が不要になるので、組立工数を削減することができる。また、第２突出部を筒状の段ボールにより形成することによって、第２突出部を段ボールよりも高価な発泡スチロールによって形成する場合に比べて、第２突出部の材料費を削減することができる。また、第２仕切りの側端部を、第１仕切りの仕切り面から所定の長さ分、外側方に突出するとともに、第１仕切りの第１スリットが形成される側の端部に一体的に形成され、外側方に折り曲げられた複数の補強片をさらに設けることによって、複数の第２仕切りを第１仕切りに嵌め込み、梱包箱に収納する場合に、外側方に折
り曲げられた第１仕切りの補強片によって、第１仕切りの第１スリットが形成される側の端部が外側方に折れ曲がるのを抑制することができる。これにより、収納空間に収納される製品が水平方向に移動した場合に、第１仕切りの第１スリットが形成される側の端部が外側に折れ曲がるのを抑制することができるので、収納空間に収納される製品が破損するのを抑制することができる。
【００２２】
この発明の第２の局面における梱包部材は、第１スリットを有する段ボール製の第１仕切りと、第１スリットに嵌め込まれる第２スリットを有する段ボール製の複数の第２仕切りとを備え、第２仕切りは、下部に切り欠き部を有し、第１仕切りには、側面部と、底板部とが一体的に設けられており、第１仕切りの底板部には、第２仕切りの切り欠き部に嵌め込まれる筒状の第１突出部が設けられており、第１仕切りは、第１仕切りの下部から外側方に突出するように形成されたガイド部を含む。
【００２３】
この第２の局面による梱包部材では、上記のように、第１仕切りに、側面部と、底板部とを一体的に設けることによって、側面部と底板部とを別個に設ける場合と比べて、部品点数を削減することができる。また、第１仕切りに、第１仕切りの下部から外側方に突出するように形成されたガイド部を設けることによって、第２仕切りに嵌め合わされた第１仕切りを梱包箱内に挿入する場合に、容易に第１仕切りおよび第２仕切りを梱包箱内に挿入することができる。また、第１仕切りに、第１仕切りの下部から外側方に突出するように形成されたガイド部を設けることによって、第１仕切りの底板部の位置が外側方にずれることを抑制することができるので、第１仕切りと第２仕切りとによって構成される収納空間の位置ずれを防止することができる。これにより、収納空間の位置ずれに起因して、収納空間に収納される製品が破損するのを抑制することができる。また、ガイド部を第１仕切りの下部から外側方に突出させることによって、外部側から衝撃が加わった場合に、ガイド部が変形することにより、外部側からの衝撃を吸収することができるので、製品が破損するのを抑制することができる。
【００２４】
また、第２の局面では、第２仕切りに、下部に切り欠き部を設け、底板部に、第２仕切りの切り欠き部に嵌め込まれる筒状の第１突出部を設けることによって、第１突出部と第２仕切りの切り欠き部との嵌合により、第２仕切りの切り欠き部の位置がずれるのを抑制することができる。これにより、第２仕切りと、第２仕切りの第２スリットに嵌め込まれる第１仕切りとの位置がずれるのを抑制することができるので、第１仕切りと第２仕切りとによって構成される収納空間の位置ずれを防止することができる。これにより、収納空間の位置ずれに起因して、収納空間に収納される製品が破損するのを抑制することができる。また、筒状の段ボール製の第１突出部を、第２仕切りの２つの切り欠き部に嵌合させることによって、筒状の段ボール製の第１突出部の両側面を第２仕切りの２つの切り欠き部の両方の内側面により挟み込むことができる。これにより、強度がそれほど高くない筒状の段ボール製の第１突出部を設けた場合でも、第１仕切りと第２仕切りとにより構成される収納空間に収納される製品の自重や上下方向の衝撃によって、第１突出部が押しつぶされにくくなるので、収納空間に収納される製品が破損するのを抑制することができる。また、筒状の段ボール製の第１突出部の緩衝機能により、上下方向の衝撃が加わった場合にも、衝撃を吸収することができる。また、第１突出部を筒状の段ボールにより形成することによって、第１突出部を複数の段ボール製の部材を積層して貼り合わせることにより形成する場合と異なり、複数の段ボール製の部材が不要になるので、その分、部品点数を削減することができる。また、第１突出部を複数の段ボール製の部材を積層して貼り合わせることにより形成する場合と異なり、複数の段ボール製の部材を積層して貼り合わせる組立作業が不要になるので、組立工数を削減することができる。また、第１突出部を筒状の段ボールにより形成することによって、第１突出部を段ボールよりも高価な発泡スチロールによって形成する場合に比べて、第１突出部の材料費を削減することができる。
【００２５】
上記第２の局面による梱包部材において、好ましくは、筒状の第１突出部は、第１仕切りの底板部に一体的に設けられている。このように構成すれば、筒状の第１突出部と底板部とを別個に設ける場合と比べて、部品点数を削減することができる。
【００２６】
上記第２の局面による梱包部材において、好ましくは、段ボール製の天板をさらに備え、天板は、天板の上面から上方に突出するように設けられた筒状の段ボール製の複数の第２突出部を含む。このように構成すれば、第２突出部を複数の段ボール製の部材を積層して貼り合わせることにより形成する場合と異なり、複数の段ボール製の部材が不要になるので、その分、部品点数を削減することができる。また、第２突出部を複数の段ボール製の部材を積層して貼り合わせることにより形成する場合と異なり、複数の段ボール製の部材を積層して貼り合わせる組立作業が不要になるので、組立工数を削減することができる。また、第２突出部を筒状の段ボールにより形成することによって、第２突出部を段ボールよりも高価な発泡スチロールによって形成する場合に比べて、第２突出部の材料費を削減することができる。
【００２７】
上記第２の局面による梱包部材において、好ましくは、第２仕切りの側端部は、第１仕切りの仕切り面から所定の長さ分、外側方に突出されており、第１仕切りの第１スリットが形成される側の端部に一体的に形成され、外側方に折り曲げられた複数の補強片をさらに備える。このように構成すれば、複数の第２仕切りを第１仕切りに嵌め込み、梱包箱に収納する場合に、外側方に折り曲げられた第１仕切りの補強片によって、第１仕切りの第１スリットが形成される側の端部が外側方に折れ曲がるのを抑制することができる。これにより、収納空間に収納される製品が水平方向に移動した場合に、第１仕切りの第１スリットが形成される側の端部が外側に折れ曲がるのを抑制することができるので、収納空間に収納される製品が破損するのを抑制することができる。
【発明を実施するための最良の形態】
【００２８】
以下、本発明の実施形態を図面に基づいて説明する。
【００２９】
図１は、本発明の一実施形態による段ボール製の梱包部材の全体構成を示した分解斜視図である。図２は、図１に示した一実施形態による段ボール製の梱包部材の仕切りを示した斜視図である。図３は、図２に示した一実施形態による段ボール製の梱包部材の仕切りを示した展開図である。図４〜図９は、図１に示した一実施形態による段ボール製の梱包部材の構造の詳細を説明するための図である。図１〜図９を参照して、本発明の一実施形態による段ボール製の梱包部材の構造について説明する。
【００３０】
本発明の一実施形態による段ボール製の梱包部材は、図１に示すように、一対の仕切り１と、一対の仕切り１に組み合わされる７つの仕切り２と、天板３と、梱包箱４とを備えている。なお、仕切り１は、本発明の「第１仕切り」の一例であり、仕切り２は、本発明の「第２仕切り」の一例である。
【００３１】
ここで、本実施形態では、図２に示すように、一対の仕切り１の各々には、側面部１ａと、底板部１ｂとが一体的に設けられている。また、一対の仕切り１の各々には、梱包箱４（図１参照）内に挿入する際のガイドとして機能する４つのガイド部１ｇが設けられている。このガイド部１ｇは、さらに、底板部１ｂの位置が外側方にずれることを抑制する機能と、緩衝材としての機能とを有する。また、底板部１ｂには、筒状の突出部１ｃが一体的に設けられている。また、突出部１ｃは、図１に示すように、仕切り２の切り欠き部２ｂに嵌め込まれる。この突出部１ｃは、段ボールにより筒状に形成されており、緩衝材としての機能を有する。また、突出部１ｃの両側面は、図８に示すように、仕切り２の切り欠き部２ｂの両方の内側面に挟み込まれる。また、突出部１ｃの中央側の側面の下部は、仕切り２の切り欠き部２ｂの中央側の内側面に挟み込まれない。なお、突出部１ｃは、
本発明の「第１突出部」の一例である。
【００３２】
また、図３に示すように、仕切り１には、７つのスリット１ｄが設けられている。また、仕切り１には、スリット１ｄが形成される側の端部に８つの補強片１ｅが一体的に設けられている。また、仕切り１には、補強片１ｅを形成するための８つの折り目１ｆが設けられている。また、仕切り１には、図３に示すように、ガイド部１ｇを形成するための４つの切り込み１ｈが設けられている。また、各々の仕切り１の側面部１ａと底板部１ｂとの境界部分には、５つの折り目１ｉが設けられている。また、仕切り１の底板部１ｂには、折り目１ｊが設けられている。なお、スリット１ｄは本発明の「第１スリット」の一例である。
【００３３】
また、図４に示すように、仕切り２には、仕切り１のスリット１ｄ（図３参照）に嵌め込まれる２つのスリット２ａが設けられている。また、各々の仕切り２には、２つの切り欠き部２ｂが設けられている。また、仕切り２の側端部２ｃは、図１に示すように、仕切り１の外側面から所定の長さ分、外側方に突出されている。なお、スリット２ａは、本発明の「第２スリット」の一例である。
【００３４】
また、天板３には、図１に示すように、筒状の段ボールからなる２つの突出部３ａが設けられている。この天板３の筒状の突出部３ａは、仕切り１の突出部１ｃと同様、緩衝材としての機能を有する。また、天板３の突出部３ａは、天板３の上面に両面テープによって貼付されている。この天板３の下面は、仕切り１の補強片１ｅの上面および仕切り２の上端を押さえ込むように配置される。なお、突出部３ａは、本発明の「第２突出部」の一例である。
【００３５】
また、段ボール製の梱包箱４には、図１に示すように、一対の天面フラップ部４ａと、一対の天面フラップ部４ｂとが、それぞれ、互いに対向するように設けられている。梱包箱４の天面フラップ部４ｂは、図８に示すように、梱包箱４の天面フラップ部４ａの上部に重なるように配置される。また、天板３の突出部３ａにより、天板３の上面と梱包箱４の天面フラップ部４ａの下面との間に、梱包箱４の上部側からの衝撃を吸収することが可能な隙間が設けられる。また、仕切り１および２の側面（側端面）と梱包箱４の内側面との間に、梱包箱４の外部側からの水平方向の衝撃を吸収することが可能な隙間が設けられている。また、仕切り１の補強片１ｅは、仕切り１のスリット１ｄが形成される側の端部が外側方に折れ曲がるのを抑制する機能を有する。この補強片１ｅが仕切り１に設けられていない場合には、図９に示すように、水平方向の衝撃などに起因して、製品６が傾いた場合に、仕切り１のスリット１ｄが形成される側の端部が外側方に折れ曲がり、仕切り１の外部側の側面と梱包箱４の内面との間の隙間がなくなる。これにより、梱包箱４の外部側からの衝撃を吸収することができないという不都合が生じる。本実施形態では、補強片１ｅにより仕切り１のスリット１ｄが形成される側の端部が折れ曲がるのが抑制されるので上記のような不都合が生じない。
【００３６】
また、図１に示すように、仕切り１と仕切り２とによって６つの収納空間５が構成されている。この収納空間５には、図８に示すように、製品６が収納される。また、製品６は、たとえば、テレビ用チューナーである。この製品６には、図７に示すように、下部側に突出した突起部６ａと、上部側に突出した突起部６ｂと、両側部側に突出した突起部６ｃとが設けられている。また、仕切り１の突出部１ｃは、図８に示すように、製品６の突起部６ａに接触しないように、製品６の下面を支持している。
【００３７】
次に、図１〜図４および図８を参照して、本実施形態による段ボール製の梱包部材の組立方法および製品の梱包方法について説明する。まず、仕切り１の折り目１ｉ（図３参照）を直角に折り曲げる。これにより、ガイド部１ｇを仕切り１から外側方に突出させると
ともに、側面部１ａに対してガイド部１ｇおよび底板部１ｂを直角方向に延びるように形成する。次に、底板部１ｂを折り目１ｊに沿って順次丸めるように同一方向に折り曲げていくことによって、筒状に形成する。これにより、筒状の突出部１ｃが形成される。また、折り目１ｆを水平に９０°折り曲げることにより、補強片１ｅが形成される。これにより、図２に示すような仕切り１が形成される。次に、一対の仕切り１を対向するように配置するとともに、その一対の仕切り１のスリット１ｄに、７つの仕切り２（図４参照）のスリット２ａを嵌め込む。これにより、図１に示すように、仕切り１と仕切り２とにより６つの収納空間５を有する仕切り部材が形成される。次に、仕切り１および仕切り２からなる仕切り部材を、梱包箱４の上方側から順次梱包箱４に嵌め込む。さらに、６つの収納空間５に製品６を収納した後、梱包箱４の上方側から天板３を梱包箱４に嵌め込む。そして、梱包箱４の天面フラップ部４ａを内側に折り曲げた後、梱包箱４の天面フラップ部４ｂを内側に折り曲げる。これにより、図８に示すように、製品６の梱包が完了する。
【００３８】
本実施形態では、上記のように、仕切り１に、側面部１ａと、底板部１ｂとを一体的に設けることによって、側面部１ａと底板部１ｂとを別個に設ける場合と比べて、部品点数を削減することができる。また、仕切り１に、仕切り１の下部から外側方に突出するように形成されたガイド部１ｇを設けることによって、仕切り２に嵌め合わされた仕切り１を梱包箱４内に挿入する場合に、容易に、仕切り１および仕切り２を梱包箱４内に挿入することができる。また、仕切り１に、仕切り１の下部から外側方に突出するように形成されたガイド部１ｇを設けることによって、仕切り１の底板部１ｂの位置が外側方にずれることを抑制することができるので、仕切り１と仕切り２とによって構成される収納空間５の位置ずれを防止することができる。これにより、収納空間５の位置ずれに起因して、収納空間５に収納される製品６が破損するのを抑制することができる。また、ガイド部１ｇを仕切り１の下部から外側方に突出させることによって、外部側から衝撃が加わった場合に、ガイド部１ｇが変形することにより、外部側からの衝撃を吸収することができるので、製品６が破損するのを抑制することができる。
【００３９】
また、本実施形態では、仕切り２に、下部に切り欠き部２ｂを設け、底板部１ｂに、仕切り２の切り欠き部２ｂに嵌め込まれる筒状の突出部１ｃを設けることによって、突出部１ｃと仕切り２の切り欠き部２ｂとの嵌合により、仕切り２の切り欠き部２ｂの位置がずれるのを抑制することができる。これにより、仕切り２と、仕切り２のスリット２ａに嵌め込まれる仕切り１との位置がずれるのを抑制することができるので、仕切り１と仕切り２とによって構成される収納空間５の位置ずれを防止することができる。これにより、収納空間５の位置ずれに起因して、収納空間５に収納される製品６が破損するのを抑制することができる。また、筒状の段ボール製の突出部１ｃを、仕切り２の２つの切り欠き部２ｂに嵌合させることによって、筒状の段ボール製の突出部１ｃの両側面を仕切り２の２つの切り欠き部２ｂの両方の内側面により挟み込むことができる。これにより、強度がそれほど高くない筒状の段ボール製の突出部１ｃを設けた場合でも、仕切り１と仕切り２とにより構成される収納空間５に収納される製品６の自重や上下方向の衝撃によって、突出部１ｃが押しつぶされにくくなるので、収納空間５に収納される製品６が破損するのを抑制することができる。また、筒状の段ボール製の突出部１ｃの緩衝機能により、上下方向の衝撃が加わった場合にも、衝撃を吸収することができる。また、突出部１ｃを筒状の段ボールにより形成することによって、突出部１ｃを複数の段ボール製の部材を積層して貼り合わせることにより形成する場合と異なり、複数の段ボール製の部材が不要になるので、その分、部品点数を削減することができる。また、突出部１ｃを複数の段ボール製の部材を積層して貼り合わせることにより形成する場合と異なり、複数の段ボール製の部材を積層して貼り合わせる組立作業が不要になるので、組立工数を削減することができる。また、突出部１ｃを筒状の段ボールにより形成することによって、突出部１ｃを段ボールよりも高価な発泡スチロールによって形成する場合に比べて、突出部１ｃの材料費を削減することができる。
【００４０】
また、本実施形態では、筒状の突出部１ｃを、仕切り１の底板部１ｂに一体的に設けることによって、筒状の突出部１ｃと底板部１ｂとを別個に設ける場合と比べて、部品点数を削減することができる。
【００４１】
また、本実施形態では、天板３に、天板３の上面から上方に突出するように筒状の段ボール製の複数の突出部３ａを設けることによって、天板３の突出部３ａを複数の段ボール製の部材を積層して貼り合わせることにより形成する場合と異なり、複数の段ボール製の部材が不要になるので、その分、部品点数を削減することができる。また、天板３の突出部３ａを複数の段ボール製の部材を積層して貼り合わせることにより形成する場合と異なり、複数の段ボール製の部材を積層して貼り合わせる組立作業が不要になるので、組立工数を削減することができる。また、天板３の突出部３ａを筒状の段ボールにより形成することによって、突出部３ａを段ボールよりも高価な発泡スチロールによって形成する場合に比べて、天板３の突出部３ａの材料費を削減することができる。
【００４２】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００４３】
たとえば、上記実施形態では、本発明の梱包部材に収納される製品の一例としてテレビ用チューナーを示したが、本発明はこれに限らず、テレビ用チューナー以外の他の製品にも適用可能である。
【００４４】
また、上記実施形態では、一対の仕切りに対して、７つの仕切りを嵌め込む例を示したが、本発明はこれに限らず、一対の仕切りに対して、７つ以外の２つ以上の仕切りを嵌め込んでもよい。
【００４５】
また、上記実施形態では、天板に、天板の上面から上方に突出するように筒状の段ボール製の２つの突出部を設ける例を示したが、本発明はこれに限らず、天板に、筒状の突出部を設けなくてもよい。
【００４６】
また、上記実施形態では、天板の上面に、筒状の段ボール製の突出部を両面テープによって貼り付ける例を示したが、本発明はこれに限らず、図１０に示す第１変形例のように、天板５３の両側部を内側に折り曲げることにより、天板５３と一体的に筒状の段ボール製の突出部５３ａを形成してもよい。このようにすれば、突出部を天板とは別体で形成して天板に両面テープで貼付する場合に比べて、部品点数および組立工数を削減することができる。
【００４７】
また、上記実施形態では、仕切りの切り欠き部の中央側の内側面が、突出部の中央側の側面の下部を挟み込まない例を示したが、本発明はこれに限らず、図１１に示す第２変形例のように、仕切り６２の切り欠き部６２ｂの中央側の内側面を下方側に延ばすことによって、突出部の中央側の側面の下部を挟み込んでもよい。このようにすれば、上記した実施形態に比べて、突出部の側面と仕切りの切り欠き部との嵌合長さがより大きくなるので、水平方向の衝撃を受けた場合に、仕切りの位置がずれるのをより抑制することができる。これにより、仕切りによって構成される収納空間の位置ずれをより防止することができるので、収納空間の位置ずれに起因して、収納空間に収納される製品が破損するのをより抑制することができる。なお、図１１に示した第２変形例では、上記実施形態と同様に、仕切り６２には、スリット６２ａと側端部６２ｃとが設けられている。
【図面の簡単な説明】
【００４８】
【図１】本発明の一実施形態による段ボール製の梱包部材の全体構成を示した分解斜視図である。
【図２】図１に示した一実施形態による段ボール製の梱包部材の仕切りを示した斜視図である。
【図３】図１に示した一実施形態による段ボール製の梱包部材の仕切りを示した展開図である。
【図４】図１に示した一実施形態による段ボール製の梱包部材の仕切りを示した正面図である。
【図５】図１に示した一実施形態による段ボール製の梱包部材を梱包箱に配置した状態の平面図である。
【図６】図１に示した一実施形態による段ボール製の梱包部材の突出部を示した部分斜視図である。
【図７】図１に示した一実施形態による段ボール製の梱包部材に収納される製品を示した正面図である。
【図８】図１に示した一実施形態による段ボール製の梱包部材により製品を収納した状態を説明するための内部透視図である。
【図９】図１に示した一実施形態による段ボール製の梱包部材の衝撃時における状態を説明するための内部透視図である。
【図１０】図１に示した一実施形態の第１変形例による段ボール製の梱包部材の天板を示した斜視図である。
【図１１】図１に示した一実施形態の第２変形例による段ボール製の梱包部材の仕切りを示した正面図である。
【図１２】従来の他の例による段ボール製の梱包部材の全体構成を示した分解斜視図である。
【図１３】図１２に示した従来の他の例による段ボール製の梱包部材の仕切りを示した正面図である。
【図１４】図１２に示した従来の他の例による段ボール製の梱包部材の仕切りを示した正面図である。
【図１５】図１２に示した従来の他の例による段ボール製の梱包部材を梱包箱に配置した状態の平面図である。
【図１６】図１２に示した従来の他の例による段ボール製の梱包部材の突出部を示した部分斜視図である。
【図１７】図１２に示した従来の他の例による段ボール製の梱包部材により製品を収納した状態を説明するための内部透視図である。
【符号の説明】
【００４９】
１  仕切り（第１仕切り）
１ａ  側面部
１ｂ  底板部    
１ｃ  突出部（第１突出部）
１ｄ  スリット（第１スリット）
１ｅ  補強片
１ｇ  ガイド部
２  仕切り（第２仕切り）
２ｂ  切り欠き部
２ｃ  側端部
３  天板
３ａ  突出部（第２突出部）
【図１】
2006062663.tif 000003
【図２】
2006062663.tif 000004
【図３】
2006062663.tif 000005
【図４】
2006062663.tif 000006
【図５】
2006062663.tif 000007
【図６】
2006062663.tif 000008
【図７】
2006062663.tif 000009
【図８】
2006062663.tif 000010
【図９】
2006062663.tif 000011
【図１０】
2006062663.tif 000012
【図１１】
2006062663.tif 000013
【図１２】
2006062663.tif 000014
【図１３】
2006062663.tif 000015
【図１４】
2006062663.tif 000016
【図１５】
2006062663.tif 000017
【図１６】
2006062663.tif 000018
【図１７】
2006062663.tif 000019